(57)【特許請求の範囲】
【請求項１】
シート状の原稿または最大原稿の幅よりも大きいキャリアシートで保持された原稿を給紙装置を介して給送し、この原稿画像を読みとって画像形成する画像形成装置において、
前記給紙装置は、
シート状の原稿の搬送方向の両端よりも外側にそれぞれ配置された、原稿の有無を検知するシート検知センサをそれぞれ備えたものであり、
前記給紙装置が原稿を給送する際に、
前記シート検知センサの一方が原稿を検知した場合は、原稿が斜行していると判断するが、
前記シート検知センサの双方が原稿を検知した場合は、キャリアシートと判断して、原稿のみを給紙するときとは異なるタイミングで画像を形成することを特徴とする画像形成装置。
【請求項２】
前記異なるタイミングとは、画像を形成するタイミングを所定時間遅延させるものであることを特徴とする請求項１に記載の画像形成装置。
【請求項３】
シート状の原稿または該原稿を保持したキャリアシートを給送する給紙装置において、
原稿の有無を検知する複数のシート検知センサを備え、
該シート検知センサは、
該給紙装置で給送されるシート状の原稿のうち最大幅をもつ原稿の搬送方向の両端よりも外側であって、且つ、該最大幅をもつ原稿よりも大きいキャリアシートの搬送方向の両端よりも内側の位置に配置されたものであり、原稿の斜行またはキャリアシートの有無を検知するものであることを特徴とする給紙装置。
【発明の詳細な説明】
【０００１】
【産業上の利用分野】
本発明は、給紙ローラおよび搬送ローラによって、原稿を給送しながら、画像を読み取る給紙装置を載置した複写機等の画像形成装置に関する。
【０００２】
【従来の技術】
図３は従来の給紙装置の原稿挿入時の概略構成図を示す。図において給紙装置４０は、原稿Ｐを上部ガイド１と下部ガイド２との間に挿入し、シャッタ３に付き当てる。この際、原稿サイズ検知センサ４が原稿Ｐを検知し、その検知信号により原稿ソレノイド５がＯＮされ、ソレノイドレバー６が支軸７を中心に図中反時計方向に回動することにより、給紙ローラ８が押えコロ９に圧接するまで下降し、原稿Ｐを挟持する。
【０００３】
同時に、シャッタ３を図示省略のソレノイド等の駆動手段により、原稿搬送路Ａを開放する方向へ移動する。かつ、原稿ソレノイド５がＯＮされてから、図示省略のモータが回転駆動を始め、給紙ローラ８、搬送ローラ１０，１１、排紙ローラ１２が回転開始する。
【０００４】
前記モータおよび各ローラ８，〜１２は、ベルト駆動またはギャ駆動によりすべて連結されているから、図４に示すように原稿Ｐは斜行補正用レジストシャッタ１３に当接するまで給送される。
【０００５】
この際、レジスト前検知センサ１４がＯＦＦされ、原稿Ｐがレジストシャッタ１３に当接した後、一旦前記モータが停止し、複写機本体側の転写用紙が給紙されるのを待機する。
【０００６】
複写機本体側の給紙が終了すると、ランプ１５が点灯した後、前記モータが再度回転し始める。このモータが回転を始めてから、レジストシャッタ用ソレノイトをＯＮさせることにより、レジスタシャッタ１３が動作し、原稿搬送路を開放する。従って、原稿Ｐは搬送ローラ１０，１１、排紙ローラ１２で搬送されながら、ランプ１５で照射され、複写機本体の感光体に画像が伝達される。
【０００７】
【発明が解決しようとする課題】
ところが、図５に示すように薄紙等の原稿Ｐをポリエチレンフィルム等からなるキャリアシート２０の上シート２０ａと下シート２０ｂとの間に挟持して給送することがある。この際、キャリアシート２０がレジストシャッタ１３に当接し、キャリアシート２０の斜行が補正され、一旦前記モータが停止して再度回転し、レジストシャッタ１３を動作し、原稿搬送路が開放され、キャリアシート２０が給送される際に、原稿Ｐがキャリアシート２０で挟持されるために、原稿Ｐのみの場合に比較して重くなり、給紙ローラ８の送り出しの際に、滑りが生じ、キャリアシート２０を送り出すタイミングが遅れて、画像上でズレが発生するという問題があった。
【０００８】
この問題の解消のために、コピー動作前に作業者がキー入力によりキャリアシート２０の有無を入力し、複写機本体を制御するソフト系である制御装置（図示省略）において、原稿給紙における先端レジストのタイミングをズラしていた、しかし、作業者にキャリアシート２０の有無をキー入力する煩わしさを与え、キー入力の忘れによる先端レジストのズレが発生するという問題があった。
【０００９】
本発明の目的は、上記問題点を改善するために、原稿をキヤリアシートに挟持しているかどうかが検出され、先端レジストのタイミングが調整され、取扱い操作が容易な画像形成装置を提供することにある。
【００１０】
【課題を解決するための手段】
上記目的を達成するための本発明の画像形成装置は、シート状の原稿または最大原稿の幅よりも大きいキャリアシートで保持された原稿を給紙装置を介して給送し、この原稿画像を読みとって画像形成する画像形成装置において、
（１）前記給紙装置は、
（１−１）シート状の原稿の搬送方向の両端よりも外側にそれぞれ配置された、原稿の有無を検知するシート検知センサをそれぞれ備えたものであり、
（２）前記給紙装置が原稿を給送する際に、
（２―１）前記シート検知センサの一方が原稿を検知した場合は、原稿が斜行していると判断するが、
（２―２）前記シート検知センサの双方が原稿を検知した場合は、キャリアシートと判断して、原稿のみを給紙するときとは異なるタイミングで画像を形成することを特徴とするものである。
ここで、
（３）前記異なるタイミングとは、画像を形成するタイミングを所定時間遅延させるものである。
上記目的を達成するための本発明の給紙装置は、シート状の原稿または最大原稿の幅よりも大きいキャリアシートで保持された原稿を給送する給紙装置において、
（４）原稿の有無を検知する複数のシート検知センサを備え、
（５）該シート検知センサは、
（５−１）給送されるシート状の原稿の搬送方向の両端よりも外側であって、且つ、給送されるキャリアシートの両端よりも内側の位置にそれぞれ配置されたものであることを特徴とするものである。
【００１１】
【作用】
本発明の画像形成装置を採用することにより、シート状の原稿またはキャリアシートで保持された原稿を給紙装置を介して給送し画像形成する際に、給紙装置に斜行補正用シャッターの上流側に最大原稿の幅より大きく前記キャリアシートの幅の両端部分に近くそれぞれ設けられ、最大原稿幅では同時に検知できないがキャリアシート幅では同時に検知し得る検知手段を設けることによって、原稿をキャリアシートに挟持するかしないかに拘らず、先端レジストのタイミングが調整され、その取扱い操作が容易である。
【００１２】
【実施例】
以下、本発明の実施例を図面に基づいて詳細に説明する。
【００１３】
図２は本発明が実施された画像形成装置の概略構成図を示し、同図（Ａ）はその正面図、同図（Ｂ）はその側面図である。図において本実施例では複写機である画像形成装置５０は、圧板２１を開放して給紙装置４０が原稿台２２上の動作位置にあり、原稿Ｐが挿入されると、画像をミラー２３、レンズ２４およびミラー２５を経て、感光体２６に送る。なお、２７は現像部、２８は転写分離部、２９は給紙部、３０は定着部である。
【００１４】
図１は本発明の一実施例の概略構成図を示す。図において給紙装置４０の原稿搬送路Ａに、斜行補正用として設けられたレジストシャッタ１３の上流側で、最大原稿Ｐの幅より大きいキャリアシート２０の幅の両端部分に近い図中斜線部分に検知手段、本実施例ではキャリアシート検知センサ１６，１６がそれぞれ設けられている。このキャリアシート検知センサ１６，１６は、最大原稿Ｐの幅では同時に検知できないが、キャリアシート２０の幅では同時に検知し得るように配置されている。
【００１５】
従って、この検知センサ１６，１６は、キャリアシート２０に挟持されない最大幅の原稿Ｐの場合には、レジストシャッタ１３の上流側の中央部に配置されたレジスタ前センサ１４のみが検知されまたは原稿Ｐがいずれか片側へ寄せられた場合には、中央のレジスト前センサ１４と片側のキャリアシート検知センサ１６とのみが検知され、同時にキャリアシート検知センサ１６，１６が検知されないために、キャリアシート２０がなしと検知される。
【００１６】
このようなキャリアシート検知センサ１６，１６の検知信号は、図示省略のソフト系の制御装置において、先端レジストのタイミングをズラせるように調整され、キャリアシートの画像上のズレが解消される。
【００１７】
なお、本発明は、上記実施例に限定するものではなく、適宜の設計的変更を行うことにより、他の態様においても実施することが可能である。
【００１８】
【発明の効果】
上記説明ですでに明らかなように、本発明の画像形成装置は、シート状の原稿またはキャリアシートで保持された原稿を給紙装置を介して給送し画像形成する際に、給紙装置に斜行補正用シャッターの上流側に最大原稿の幅より大きく前記キャリアシートの幅の両端部分に近くそれぞれ設けられ、最大原稿幅では同時に検知できないがキャリアシート幅では同時に検知し得る検知手段を設けることによって、従来技術の問題点が容易に解決され、原稿をキャリアシートに挟持するかしないかに拘らず、先端レジストのタイミングが調整され、その取扱い操作が容易である。
【図面の簡単な説明】
【図１】本発明の一実施例の概略構成図である。
【図２】本発明が実施された画像形成装置の概略構成図を示し、同図（Ａ）はその正面図、同図（Ｂ）はその側面図である。
【図３】従来の給紙装置の原稿挿入時の概略構成図である。
【図４】従来の給紙装置の原稿搬送時の概略構成図である。
【図５】キャリアシートの概略構成図である。
【符号の説明】
８  給紙ローラ
１３  レジストシヤッタ
１４  レジスト検知センサ
１６  キャリアシート検知センサ
２０  キャリアシート
４０  給紙装置
【図１】
0003623261.tif 000002
【図２】
0003623261.tif 000003
【図３】
0003623261.tif 000004
【図４】
0003623261.tif 000005
【図５】
0003623261.tif 000006